(57)【特許請求の範囲】
【請求項１】
遊技場に複数設置される遊技機及び当該遊技機と対応して設置される台間機から出力される信号を受信して、前記遊技機及び前記台間機に係る遊技情報を管理する遊技場管理装置であって、
前記台間機から出力され、遊技場に会員登録された遊技者が利用する会員用記録媒体が挿入された旨を示す挿入信号及び遊技者を識別する遊技者識別情報を受信すると、あるいは、前記遊技者識別情報を受信していない状態で、前記台間機から出力され、遊技媒体の払い出しを行ったことを示す売上信号を受信すると、遊技者が遊技を開始したものと判断し、
遊技者が遊技を開始したものと判断してから所定時間を経過しても、前記遊技機及び前記台間機からいずれの信号も受信しなかった場合、遊技者が遊技を終了したものと判断する判断手段と、
前記遊技機から出力され、前記遊技機に設けられた図柄変動装置が変動したことを示すスタート信号に基づき算出された前記遊技情報として、遊技開始から遊技終了までの１遊技におけるスタート率を少なくとも記憶する記憶手段と、
前記遊技情報を外部に出力する外部出力手段と、
前記遊技情報を前記記憶手段に記憶させる制御を行い、また前記スタート率を外部に出力させる制御を行う管理装置制御手段とを有することを特徴とする、遊技場管理装置。
【請求項２】
遊技場に複数設置される遊技機及び当該遊技機と対応して設置される台間機から出力される信号を受信して、前記遊技機及び前記台間機に係る遊技情報を管理する遊技場管理装置であって、
前記台間機から出力され、遊技場に会員登録された遊技者が利用する会員用記録媒体が挿入された旨を示す挿入信号及び遊技者を識別する遊技者識別情報を受信すると、あるいは、前記遊技者識別情報を受信していない状態で、前記台間機から出力され、遊技媒体の払い出しを行ったことを示す売上信号を受信すると、遊技者が遊技を開始したものと判断し、
遊技者が遊技を開始したものと判断してから所定時間を経過しても、前記遊技機及び前記台間機からいずれの信号も受信しなかった場合、遊技者が遊技を終了したものと判断する判断手段と、
前記遊技機から出力され、前記遊技機から払い出された遊技媒体数を示す出玉信号に基づき算出された前記遊技情報として、遊技開始から遊技終了までの１遊技における出玉率を少なくとも記憶する記憶手段と、
前記遊技情報を外部に出力する外部出力手段と、
前記遊技情報を前記記憶手段に記憶させる制御を行い、また前記出玉率を外部に出力させる制御を行う管理装置制御手段とを有することを特徴とする、遊技場管理装置。
【請求項３】
前記管理装置制御手段が更に、前記記憶手段に記憶されている遊技情報を呼び出して、当該遊技情報をその中の特定の遊技情報に基づいて分類し、分類結果を外部に出力させる制御を行うことを特徴とする、請求項１又は２に記載の遊技場管理装置。
【発明の詳細な説明】
【技術分野】
【０００１】
本発明は、遊技場管理装置に関する。
【背景技術】
【０００２】
ＣＲ機や現金機等のパチンコ機に代表される遊技機を設置して営業を行っている遊技場では、業務の効率化や顧客の要望に応じるために、遊技場内の各種情報を管理している。例えば、各遊技機のゲーム回数や大当たり回数といった稼働情報(稼働データ)をホールコンピュータ（管理装置）で集計・管理して、日々の営業に役立てている。特に、いわゆる打玉、出玉や、大当たりの発生回数、等の、大当たりに関連する稼働情報は、遊技場の営業戦略において重要視されている。例えば、パチンコ機の釘調整は、１回の大当たりの発生期間における出玉、差玉、又は、大当たり発生回数等に基づいて行われる。
【０００３】
例えば特許文献１では、管理コンピュータ１００は各パチンコ機２００から出玉信号や打玉信号等の稼働信号を受信し、各パチンコ機２００の稼働状況を管理する構成が示されている。
【特許文献１】特開２００７−２２９０１２号公報
【発明の開示】
【発明が解決しようとする課題】
【０００４】
しかし、上記のような従来技術では、遊技場の管理者や従業員等のユーザが遊技場の経営や営業戦略を考える上で、遊技場に設置されている各遊技機から得た打玉数や出玉数等の稼働情報や、遊技場に設置されている各台間機から得た売上玉数等の情報を十分に活用できない。
【０００５】
そこで本発明は、上記問題点に対処するため、遊技場の管理者や従業員等のユーザが遊技場の経営や営業戦略等を考える上で、遊技場に設置されている各遊技機から得た稼働情報等を十分活用することが可能で、またこれらの情報に基づいて遊技場の管理者や従業員等のユーザに対し、更に有用な情報を提供可能にすることを目的とする。
【課題を解決するための手段】
【０００６】
前記目的を達成するため、請求項１に記載の発明は、遊技場に複数設置される遊技機及び当該遊技機と対応して設置される台間機から出力される信号を受信して、前記遊技機及び前記台間機に係る遊技情報を管理する遊技場管理装置であって、
前記台間機から出力され、遊技場に会員登録された遊技者が利用する会員用記録媒体が挿入された旨を示す挿入信号及び遊技者を識別する遊技者識別情報を受信すると、あるいは、前記遊技者識別情報を受信していない状態で、前記台間機から出力され、遊技媒体の払い出しを行ったことを示す売上信号を受信すると、遊技者が遊技を開始したものと判断し、
遊技者が遊技を開始したものと判断してから所定時間を経過しても、前記遊技機及び前記台間機からいずれの信号も受信しなかった場合、遊技者が遊技を終了したものと判断する判断手段と、
前記遊技機から出力され、前記遊技機に設けられた図柄変動装置が変動したことを示すスタート信号に基づき算出された前記遊技情報として、遊技開始から遊技終了までの１遊技におけるスタート率を少なくとも記憶する記憶手段と、
前記遊技情報を外部に出力する外部出力手段と、
前記遊技情報を前記記憶手段に記憶させる制御を行い、また前記スタート率を外部に出力させる制御を行う管理装置制御手段とを有する、遊技場管理装置とした。
【０００７】
前記目的を達成するため、請求項２に記載の発明は、遊技場に複数設置される遊技機及び当該遊技機と対応して設置される台間機から出力される信号を受信して、前記遊技機及び前記台間機に係る遊技情報を管理する遊技場管理装置であって、
前記台間機から出力され、遊技場に会員登録された遊技者が利用する会員用記録媒体が挿入された旨を示す挿入信号及び遊技者を識別する遊技者識別情報を受信すると、あるいは、前記遊技者識別情報を受信していない状態で、前記台間機から出力され、遊技媒体の払い出しを行ったことを示す売上信号を受信すると、遊技者が遊技を開始したものと判断し、
遊技者が遊技を開始したものと判断してから所定時間を経過しても、前記遊技機及び前記台間機からいずれの信号も受信しなかった場合、遊技者が遊技を終了したものと判断する判断手段と、
前記遊技機から出力され、前記遊技機から払い出された遊技媒体数を示す出玉信号に基づき算出された前記遊技情報として、遊技開始から遊技終了までの１遊技における出玉率を少なくとも記憶する記憶手段と、
前記遊技情報を外部に出力する外部出力手段と、
前記遊技情報を前記記憶手段に記憶させる制御を行い、また前記出玉率を外部に出力させる制御を行う管理装置制御手段とを有する、遊技場管理装置とした。
【０００８】
前記目的を達成するため、請求項３に記載の発明は、前記管理装置制御手段が更に、前記記憶手段に記憶されている遊技情報を呼び出して、当該遊技情報をその中の特定の遊技情報に基づいて分類し、分類結果を外部に出力させる制御を行う、請求項１又は２に記載の遊技場管理装置とした。
【発明の効果】
【０００９】
本発明の構成とすることによって、遊技場の管理者や従業員等のユーザに対し、有用な情報を提供することができる。
【発明を実施するための最良の形態】
【００１０】
遊技場に複数設置される遊技機及び当該遊技機と対応して設置される台間機から出力される信号を受信して、前記遊技機及び前記台間機に係る遊技情報を管理する遊技場管理装置であって、前記台間機から出力され、遊技場に会員登録された遊技者が利用する会員用記録媒体が挿入された旨を示す挿入信号及び遊技者を識別する遊技者識別情報を受信すると、あるいは、前記遊技者識別情報を受信していない状態で、前記台間機から出力され、遊技媒体の払い出しを行ったことを示す売上信号を受信すると、遊技者が遊技を開始したものと判断し、遊技者が遊技を開始したものと判断してから所定時間を経過しても、前記遊技機及び前記台間機からいずれの信号も受信しなかった場合、遊技者が遊技を終了したものと判断する判断手段と、前記遊技機から出力され、前記遊技機に設けられた図柄変動装置が変動したことを示すスタート信号に基づき算出された前記遊技情報として、遊技開始から遊技終了までの１遊技におけるスタート率を少なくとも記憶する記憶手段と、前記遊技情報を外部に出力する外部出力手段と、前記遊技情報を前記記憶手段に記憶させる制御を行い、また前記スタート率を外部に出力させる制御を行う管理装置制御手段とを有する構成とすることによって、遊技場の管理者や従業員等のユーザに対し、有用な情報を提供することができる。
【実施例１】
【００１１】
以下、添付図面を参照して本発明に係る実施例を詳細に説明する。ただし、この実施例に記載されている構成要素はあくまでも例示であり、本発明の範囲をそれらのみに限定する趣旨のものではない。
【００１２】
＜管理システムの構成＞
図１は、本実施例に係る管理システムのシステム構成を例示的に示したブロック図である。
【００１３】
図１に示すように、管理システムは、遊技機１００、台間機２００、台管理装置３００、島管理装置４００、管理装置５００、会員用記録媒体６００、及び、これらの機器を接続するネットワーク７０１から構成されている。各機器等については以下に詳述する。
【００１４】
なお、図１に例示した管理システムの構成は、本実施例に係る構成を説明するための基本的なものである。実際の遊技場において管理システムを運用する場合は、管理装置５００が遊技機１００及び台間機２００から稼働信号及び売上信号等を取得できるならば、用途や目的、或いは、機器の配置等の制約条件に基づいて、多様な構成を取ることができる。例えば、図２のように、管理装置５００に遊技機１００及び台間機２００が接続される構成としても良い。その場合管理装置５００は、遊技機１００から直に稼働状況に関する稼働信号を取得し、台間機２００から直に売上信号等を取得する。
【００１５】
＜遊技機１００の構成＞
遊技機１００については、所定の入賞イベントの発生に応じて、遊技媒体であるパチンコ玉の払い出しを行うパチンコ機を例に説明する。
【００１６】
次に、遊技機１００の構成について、図３を参照して説明する。図３は、遊技機１００の外観構成の概略を例示した模式図である。
【００１７】
遊技機１００には盤面１１１が設けられ、盤面１１１上には外レール１１２が配設され、パチンコ玉が転動可能な遊技領域Ａを区画形成している。遊技領域Ａには、図柄表示装置１１３、始動入賞口１１４、大当たり入賞口１１５、アウト口１１６、通常入賞口(図示省略)、遊技媒体の流下に変化を与える谷釘１１７等の多数の遊技釘(図示省略)等が備えられている。また外レール１１２の内側に内レール１１８が配設され、遊技媒体発射領域Ｂを区画形成している。また、遊技機１００の下部には、パチンコ玉を格納する上皿１２１、下皿１２２と、パチンコ玉の打ち込みの強さを調整するハンドル１２３等が備えられている。ハンドル１２３を遊技者が操作すると、発射モータや打球槌を備えた発射装置(図示省略)が動作する。つまり発射モータが駆動し、打球槌が動作等して、上皿１２１内に格納されている遊技媒体が弾発発射される。発射された遊技媒体は、遊技機１００内の遊技媒体発射領域Ｂを通過して遊技領域Ａに放出される。そして、遊技領域Ａの上部に到達したパチンコ玉は、遊技釘等によって進行方向を変えながら下方に落下し、始動入賞口１１４や大当たり入賞口１１５等の入賞口に入賞するか、いずれの入賞口にも入賞することなく、アウト口１１６に到達し、回収される。
【００１８】
図柄表示装置１１３は、図柄の組合せやデモ表示等により抽選結果の報知や演出表示を行う例えばＣＲＴ、液晶等である。また図柄表示装置１１３は、始動入賞口１１４をパチンコ玉が通過し、始動入賞が発生したことを条件として、複数種類の図柄を上から下に向かってスクロールさせ可変表示する。また図柄表示装置１１３は、抽選が終了すると抽選の結果に応じて、予め複数種類定められた特定の図柄のうちのいずれかを表示する。例えば、抽選の結果大当たりに当選した場合には、「７７７」や「３３３」等の大当たり図柄を表示する。
【００１９】
始動入賞口１１４は、ハンドル１２３等の操作により遊技機１００内に発射されたパチンコ玉が入賞すると、パチンコ玉の入賞を検知する。その結果、始動入賞が発生し、上述したように図柄表示装置１１３が可変表示を開始すると共に、遊技機１００は、図柄表示装置１１３が可変表示を行ったことを示すスタート信号を外部へ送出する。また、始動入賞が発生すると、遊技機１００の内部に設けられている遊技制御基板(図示省略)等において抽選が実施される。当選した場合（上述したように、図柄表示装置１１３において特定の図柄が確定した場合）は大当たり状態が発生する。そして、大当たり状態が発生すると、遊技機１００は、大当たり信号の外部への送出を開始し（＝大当たり信号が立ち上がる）、遊技機１００の大当たり状態が終了すると、大当たり信号の送出を停止する（＝大当たり信号が立ち下がる）。
【００２０】
大当たり入賞口１１５は、通常はパチンコ玉が入賞しないように閉鎖されているが、大当たりに当選した場合に開放される。大当たり入賞口１１５にパチンコ玉が入賞すると、相当数（例えば、入賞したパチンコ玉１個につき１５個）のパチンコ玉が払い出される。大当たり入賞口１１５の開放は、大当たり発生後、所定時間（例えば、３０秒）が経過するまで、又は、所定数のパチンコ玉が大当たり入賞口１１５に入賞するまで継続する。この一回の開放をラウンドと呼ぶ。一般的に、大当たり入賞口１１５はパチンコ玉が通過しやすい位置に設けられるため、大当たりの発生期間（ラウンド中）においては大量のパチンコ玉が払い出されることになる。
【００２１】
次に、遊技機１００の遊技状態の１つである、確率変動状態（確変状態）について説明する。確率変動状態とは、大当たりに当選する確率が通常の遊技時より高くなっている状態であり、例えば、始動入賞口１１４やその他の所定の領域をパチンコ玉が通過したこと等を契機として行われる確変発生に係る抽選に当選した場合に発生し、確率変動状態が発生すると、遊技機１００は確変信号の外部への送出を開始し（＝確変信号が立ち上がる）、遊技機１００の確率変動状態が終了すると、確変信号の送出を停止する（＝確変信号が立ち下がる）。なお、確率変動状態においては、例えば、図柄表示装置１１３の背景色を通常と異なる色にすることで、遊技者に確率変動状態であることが通知される。
【００２２】
アウト口１１６は、遊技機１００内に発射された遊技媒体が、始動入賞口１１４、大当たり入賞口１１５等のいずれの入賞口にも入賞しなかった場合に当該遊技媒体を回収する回収口である。
【００２３】
また、遊技機１００は、遊技機１００の稼働状況を示す稼働信号を外部装置へ送出するためのインタフェース（図示省略）を備える。
【００２４】
遊技機１００から外部に送出される稼働信号には、遊技機１００に打ち込まれ、遊技機１００から排出された遊技媒体（＝打玉）数に係る打玉信号と、遊技機１００から払い出された遊技媒体（＝出玉）数に係る出玉信号と、図柄表示装置１１３が可変表示を行ったことを示すスタート信号と、遊技機１００が大当たり状態であることを示す大当たり信号と、遊技機１００が確率変動状態であることを示す確変信号とを含む。なお、後述のように、打玉信号は厳密には遊技機１００から外部に送出される信号ではないが、本明細書においては遊技機１００から出力される稼働信号として取り扱うものとする。打玉信号は、例えば、遊技機１００からの遊技媒体の排出に応じてパルスを出力するように構成することができる。以下、具体的に説明する。
【００２５】
遊技機１００に設けられている始動入賞口１１４等のいずれかの入賞口を通過した遊技媒体及びいずれの入賞口にも入賞せず遊技機１００のアウト口１１６を通過した遊技媒体は、遊技機１００の背面下部等に設けられた遊技媒体排出口(図示省略)から遊技機１００の外部に排出される。そしてこの遊技媒体排出口付近にはいわゆるアウトボックス(図示省略)が設けられている。アウトボックスには遊技媒体を受ける受け皿と、遊技媒体を計数する計数手段が備えられている。アウトボックスは、遊技機１００から排出された遊技媒体を受け皿で受け、これらの遊技媒体を遊技機１００内に発射された遊技媒体(＝打玉)とみなして計数手段で計数すると共に、排出樋(図示省略)に導き回収させる。そして計数手段は、計数した遊技媒体１０個につき打玉信号を１パルス出力する。
【００２６】
また出玉信号は、入賞に伴う遊技機１００からの遊技媒体の払い出しに応じてパルスを出力するように構成することができる。即ち、遊技機１００に遊技媒体の払い出しを検知する払出検知手段を設け(図示省略)、払出検知手段は遊技媒体の払い出しを検知すると、その払い出し個数１０個につき出玉信号を１パルス出力する。
【００２７】
また始動入賞信号は、ハンドル１２３等の操作により遊技機１００内に発射されたパチンコ玉等の遊技媒体の始動入賞口１１４への入賞に応じてパルスを出力するように構成することができる。即ち、遊技機１００に始動入賞口１１４への入賞を検知する始動入賞検知手段を設け(図示省略)、始動入賞検知手段は始動入賞口１１４への入賞を検知すると、始動入賞信号を１パルス出力する。
【００２８】
また、本実施例では排出個数１０個につき打玉信号を１パルス出力し、払出個数１０個ごとに出玉信号を１パルス出力する構成としているが、これに限られるものではなく、例えば排出個数１個につき打玉信号を１パルス出力し、払出個数１個につき出玉信号を１パルス出力する構成としても良いし、１パルスを出力する遊技媒体の単位数をそれ以外としても良い。
【００２９】
また、本実施例における管理システムが、例えば、図１に例示したような構成の場合は、これらの信号は台管理装置３００及び島管理装置４００を経由して、遊技機１００から管理装置５００へ転送される。或いは、例えば、図２に例示したような構成の場合は、遊技機１００から直接管理装置５００へ転送される。なお、図１のような構成の場合、台管理装置３００や島管理装置４００等の中継装置において、アナログ信号をデジタル信号に変換する処理や、信号を所定フォーマットのパケットに変換する処理等がなされる場合がある。これらの処理は、当業者にとって自明であるため、本実施例では説明を省略する。
【００３０】
なお本実施例においては説明の便宜上、遊技機１００から外部に送出される稼働信号として出玉信号、打玉信号、スタート信号、大当たり信号、確変信号、始動入賞信号を用いる構成を示したが、稼働信号はこれらの信号に限定されるわけではない。
【００３１】
＜台間機２００の構成＞
台間機２００は、玉貸機、メダル貸機としての台間機であり、遊技機１００に対応して設けられている。この台間機２００は、遊技者による現金の投入や遊技に使用可能な価値としての残金情報等を記録した会員用記録媒体６００等の遊技者用記録媒体を受付けて、所定量のパチンコ玉、メダル等の遊技媒体を払出し、遊技者による遊技機１００での遊技を可能にする。
【００３２】
台間機２００は、図４に示すように少なくとも会員用記録媒体６００の挿入を受け付ける挿入口(図示省略)に連設されているカードリーダライタ等の読み取り/書き込み手段２１０と、紙幣の挿入口(図示省略)に連設されている紙幣識別手段２１５と、外部機器との通信を行う通信手段２３０と、遊技場の遊技者等のユーザからの操作を受け付けるボタン、テンキー、タッチパネル等の入力手段２３５と、対応する遊技機１００の遊技関連情報を表示する液晶ディスプレイ等の表示手段２４０と、台間機２００全体を管理し、所要の演算を行ったり動作を制御したりするマイクロプロセッサ等の台間機制御手段２４５と、遊技者により台間機２００に挿入された現金のうち遊技媒体の貸し出しに使用されていない金額に係る情報（残金情報）を記憶するフラッシュメモリ等の残金情報記憶手段２５５と、遊技者が以前の遊技で遊技場に貯蓄した遊技媒体数(＝いわゆる貯玉数)を管理装置５００から受信して記憶するフラッシュメモリ等の貯玉数記憶手段２６０と、これらの各装置を接続する信号線であるバス２６５から構成されている。なお、紙幣識別手段２１５は、紙幣挿入口に投入された紙幣を取り込んでその真贋や紙幣種別の識別を行う。
【００３３】
＜遊技者が会員の場合＞
遊技者が遊技場の会員である場合、遊技開始時に台間機２００に自己の会員用記録媒体６００を挿入する。すると、台間機制御手段２４５は、読み取り/書き込み手段２１０を通じて、会員用記録媒体６００の挿入を認識し、会員用記録媒体６００に記憶されている遊技者識別情報を読み取ると、通信手段２３０を通じて、読み取った遊技者識別情報と会員用記録媒体６００が台間機２００に挿入された旨を示す挿入信号とを外部に送出する。
【００３４】
また、送出した遊技者識別情報に関連付けて記憶されている貯玉数を管理装置５００から受信した場合は、当該貯玉数を貯玉数記憶手段２６０に記憶させる。そして入力手段２３５を通じて遊技者等のユーザからの遊技媒体払戻操作を受け付けると、貯玉数記憶手段２６０に記憶されている貯玉数の残高から引落としを行い、所定量のパチンコ玉、メダル等の遊技媒体を払い出し、遊技者に払い戻すと共に、再プレイ信号を外部に送出する。具体的には例えば、２５個の遊技媒体の払い出しが行われる毎に１パルスの再プレイ信号が出力される。
【００３５】
また台間機制御手段２４５は、挿入された会員用記録媒体６００に関連付けられた残金情報が存在する場合は、当該残金情報を残金情報記憶手段２５５に記憶させる制御を行う。なお、本実施例では後述のように残金情報が会員用記録媒体６００に記録されているので、当該会員用記録媒体６００から読み取ることとなるが、残金情報が会員用記録媒体６００を識別する情報と関連付けられて管理装置５００に記憶されている場合は、当該会員用記録媒体６００を識別する情報に対応する残金情報を管理装置５００から受信することとなる。また、入力手段２３５を通じて遊技者等のユーザからの遊技媒体貸出操作を受け付けると、残金情報記憶手段２５５に記憶されている残金情報から引落としを行い、所定量のパチンコ玉、メダル等の遊技媒体を払い出す制御（玉貸し制御）を行うと共に、いわゆる貸玉の払い出しを行ったことを示す売上信号を外部に送出する。具体的には例えば、２５個の遊技媒体の貸し出しが行われる毎に１パルスの売上信号が出力される。なお、通常は一度の遊技媒体貸出操作によって払い出される遊技媒体の数が設定されているため、例えば一度に１２５玉が貸玉として払い出されるよう設定されている場合は、一度の遊技媒体貸出操作によって５パルスの売上信号が出力されることとなる。
【００３６】
＜遊技者がビジターの場合＞
ところで、遊技者が遊技場で会員登録されていないビジターである場合(あるいは、会員の遊技者であっても会員用記録媒体６００を使用しない場合)には、遊技を開始する際に、会員用記録媒体６００を挿入せずに、台間機２００に紙幣を挿入する。その場合には、台間機制御手段２４５は紙幣識別手段２１５を通じて紙幣の挿入を認識し、挿入された紙幣に応じた有価価値(＝残金情報)を、残金情報記憶手段２５５に記憶させる制御を行う。そして台間機制御手段２４５は入力手段２３５を通じて遊技者等のユーザからの遊技媒体貸出操作を受け付けると、残金情報記憶手段２５５に記憶されている残金情報から引落としを行い、所定量のパチンコ玉、メダル等の遊技媒体を払い出す制御（玉貸し制御）を行うと共に、いわゆる貸玉の払い出しを行ったことを示す売上信号を外部に送出する。
【００３７】
または、ビジター用記録媒体（例えばビジターカード。図示省略。）を有している場合は、ビジター用記録媒体を台間機２００に挿入する。ビジター用記録媒体に関連付けて残金情報が存在する場合には、当該残金情報が当該ビジター用記録媒体識別情報と関連付けて残金情報記憶手段２５５に記憶される。また、玉貸時は上述の会員と同様の処理となる。
【００３８】
なお、台間機２００は、玉貸時等に遊技媒体の払い出しを遊技機１００に対して指令可能な、いわゆるＣＲユニットであっても良いことは当然である。また、本実施例においては、遊技者等に会員用記録媒体６００等を挿入させる構成の台間機２００を想定して説明したが、この構成に限定されるわけではなく、例えば遊技者等に会員用記録媒体６００等を近接させる構成の台間機２００としても良い。
【００３９】
＜台管理装置３００の構成＞
台管理装置３００は、接続された遊技機１００及び台間機２００から稼働状況に係る稼働信号、売上信号等を取得し、島管理装置４００、管理装置５００等に送出する情報処理装置である。本実施例では図１に示すように１台の台管理装置３００に遊技機１００及び当該遊技機１００に対応して設けられている台間機２００の組み合わせが、２組接続される構成としている。ただし、他の実施例ではこれに限らず、１台の台管理装置３００にさらに多くの遊技機１００及び台間機２００の組み合わせが接続される構成としても良いし、台管理装置３００と、遊技機１００及び台間機２００の組み合わせが、１対１で接続される構成としても良い。なお、本実施例では、台管理装置３００は接続された遊技機１００から稼働信号を取得すると、予め各遊技機１００との接続ポートに対応して設定されたポート番号と、台管理装置３００自身に設けられたロータリースイッチ等で設定された台管理装置特定情報とを付加して、当該稼働信号を島管理装置４００に送出する構成としている。また同様に、予め各台間機２００との接続ポートに対応して設定されたポート番号と、台管理装置特定情報とを付加して、台間機２００から受信した売上信号等を島管理装置４００に送出する構成としている。この台管理装置３００と遊技機１００及び台間機２００との接続方法はこれに限られるものではなく、例えば予め遊技機１００と台間機２００の信号線をまとめ、台管理装置３００の１つの接続ポートに接続する構成とすることも可能である。
【００４０】
＜島管理装置４００の構成＞
島管理装置４００は、台管理装置３００と管理装置５００との接続を仲介する情報処理装置である。本実施例の管理システムにおいては、複数の台管理装置３００は１以上のグループに分類され、各グループ毎に、島管理装置４００は、台管理装置３００を管理する。すなわち、図１に示すように、島管理装置４００は複数台の台管理装置３００と接続される構成としている。ただし、他の実施例ではこれに限られないことは当然である。なお、本実施例では、島管理装置４００は接続された台管理装置３００から送出された稼働信号又は売上信号等を取得すると、島管理装置４００自身に設けられたロータリースイッチ等で設定された島管理装置特定情報を付加して、当該稼働信号を管理装置５００に送出する構成としている。
【００４１】
＜管理装置５００の構成＞
管理装置５００は、管理システムの全体を管理し、各遊技機１００のゲーム回数、大当たり回数、出玉数、打玉数等の稼働情報や各台間機２００の売上等を集計・管理する情報処理装置である。管理装置５００は、例えば、パーソナルコンピュータ（ＰＣ）やワークステーション（ＷＳ）等で実現される。
【００４２】
次に、管理装置５００のハードウェア構成について、図５を参照して説明する。図５は、管理装置５００のハードウェア構成を模式的に示したブロック図である。
【００４３】
管理装置５００は、現在時刻を計測するためのリアルタイムクロックと経過時間を計測するためのタイマ等の計時手段５０２を備えている。この計時手段５０２は、例えば水晶振動子に基づいて動作する。
【００４４】
外部記録媒体接続手段５０３は、メディアへのアクセスを実現するためのものであり、メディア（記録媒体）５０４に記憶されたプログラム等を管理装置５００にロードすることができる。尚、メディア５０４には、例えば、フレキシブルディスク（ＦＤ）、ＣＤ−ＲＯＭ、ＣＤ−Ｒ、ＣＤ−ＲＷ、ＰＣカード、ＤＶＤ、ＩＣメモリカード、ＭＯ、メモリスティック等が含まれる。
【００４５】
記憶手段５０５は、大容量メモリとして機能する、例えばＨＤＤ(＝ハードディスクドライブ)を有しており、記憶手段５０５には、アプリケーションプログラム、ＯＳ、制御プログラム、関連プログラム等が記憶される。
【００４６】
また、この記憶手段５０５には遊技情報記憶領域５５１、識別情報対応テーブル記憶領域５５２、機器情報記憶領域５５３が設けられている。ただし、この構成に限定されるわけではなく、例えば遊技情報記憶領域５５１や識別情報対応テーブル記憶領域５５２や機器情報記憶領域５５３をメディア５０４に設ける構成としてもよい。
【００４７】
遊技情報記憶領域５５１には１遊技毎の遊技情報が記憶される。即ち、図６に示すように遊技機１００の台番号別に、遊技終了数（遊技終了ＣＮＴ）毎に区分けされて、遊技情報が記憶される。遊技情報には例えば、遊技開始時刻、遊技終了時刻、遊技時間、遊技機１００の台番号、当該遊技時間中に稼働信号に基づいて算出された稼働情報(打玉数、出玉数、スタート回数、差玉数（打玉数−出玉数）)、当該遊技期間中に売上信号に基づいて算出された売上額や売上玉数(＝遊技者が貸し出しを受けた遊技媒体数である貸玉数)が含まれる。また、当該遊技期間中に再プレイ信号に基づいて算出された再プレイ数(＝遊技者のいわゆる貯玉から払い戻された遊技媒体数)も含まれる。更に、残金情報(遊技者により台間機２００に挿入された現金のうち遊技媒体の貸し出しに使用されていない金額に係る情報)も含まれる。また、売上玉数と出玉数と再プレイ数とを加算し、加算後の遊技媒体数から打玉数を減算して算出された持玉数が含まれる。つまりこの持玉数は、遊技者が保持しており遊技に使用可能な遊技媒体数を理論上算出したものである。なお、遊技機１００の台番号は遊技機識別情報の一例である。また、稼働信号に基づいて算出された打玉数、出玉数、スタート回数は、当該遊技時間中に稼働信号に基づいて算出された累積値だけでなく、通常状態、大当たり状態、確率変動状態、確変大当たり状態といった遊技機１００の遊技状態毎に区分けされたものも記憶されている(図６では図示省略)。また、遊技機１００の機種については、記憶手段５０５内に、遊技場に設置されている遊技機１００の各遊技機識別情報と機種識別情報とを対応させた対応テーブル(図示省略)があらかじめ記憶されている。後述の機種別に集計する際は、制御手段５１０はこの対応テーブルを参照して、同一の機種識別情報と関連付けられた各遊技機１００について、遊技情報を集計する制御を行う。
【００４８】
なお、図６に示されている「遊技者識別情報」の欄の「M１」等は、会員用記録媒体６００から受信した遊技者識別情報であり、会員(＝Member)を表す「Ｍ」が付されている。また図６に示されている「遊技者識別情報」の欄の「Ｖ３」等は、ビジター等の会員用記録媒体６００を使用しない遊技者に付与される仮遊技者識別情報であり、ビジター(＝Visitor)を表す「Ｖ」が付されている。ビジター用記録媒体を用いる場合はビジター用記録媒体識別情報を示す「ＶＣ５」等、ビジターカードを示す「ＶＣ」（＝Visitor Card）を付すこととしても良い。これらの付与される記号は一例であり、これに限定されるものではないことは当然である。また、図６に示されている「スタート回数」は、始動入賞口１１４をパチンコ玉が通過し、始動入賞が発生したことを条件として、図柄表示装置１１３が何回可変表示を実行したのかを示すものであり、このスタート回数は遊技機１００から受信したスタート信号に基づいて算出する。また、図６に示されている「スタート率」は、遊技機１００に大当たり等が発生していない通常状態における打玉１００個当たりのスタート回数である。また、図６に示されている「ベース」（出玉率）は通常状態における打玉１００個当たりの出玉数である。また、図６に示されている「大当平均差玉」は大当たり一回当たりの平均差玉数である((大当たり時の出玉数−大当たり時の打玉数）÷大当たり回数)。なお、スタート率及びベースは打玉１００個当たりを基準としているが、これに限られるものではなく、例えば1分間等を基準としても良い。
【００４９】
識別情報対応テーブル記憶領域５５２は、図７に示すように遊技場に設置されている遊技機１００を識別する遊技機識別情報と、遊技機１００に対応して設けられている台間機２００を識別する台間機識別情報との対応関係を示す識別情報対応テーブルが記憶されている。
【００５０】
また、この記憶手段５０５には島管理装置特定情報、台管理装置特定情報及びポート番号と、遊技機識別情報及び台間機識別情報とを対応させて記憶している機器情報記憶領域５５３が設けられている。これにより、例えば１番の島管理装置４００の１番の台管理装置３００のポート１に接続されているのは台番号１の遊技機１００である、というように遊技機１００及び台間機２００を特定可能となる。
【００５１】
なお記憶手段５０５に、内部に基本Ｉ／Ｏプログラム等のプログラム、基本処理において使用する各種データを記憶する、例えばＲＯＭ(＝Read Only Memory)を有する構成としても良い。また記憶手段５０５に、各種データを一時記憶するための制御手段５１０の主メモリ、ワークエリア等として機能する、例えばＲＡＭ(＝Random Access Memory)を有する構成としても良い。
【００５２】
入力手段５０６は、例えば、キーボードやポインティングデバイス（マウス等）、タッチパネルである。入力手段５０６を用いて、遊技場の従業員等は、管理装置５００に対して、管理装置５００を制御するコマンド等を入力指示する。
【００５３】
表示手段５０７は、例えば液晶ディスプレイ、有機ELディスプレイ、CRT等であり、入力手段５０６から入力されたコマンドや、それに対する管理装置５００の応答出力等を表示することによって、外部に出力する外部出力手段としての役割を果たす。また、遊技情報記憶領域５５１に記憶されている遊技情報を、制御手段５１０の制御に従い表示することによって外部に出力する役割を果たす。
【００５４】
バス５０９は、管理装置５００内のデータの流れを司るものであり、管理装置５００内の制御手段５１０や記憶手段５０５等の各装置を接続する信号線である。５０８は通信手段であり、この通信手段５０８を介して外部装置とのデータのやり取りを行う。
【００５５】
制御手段５１０は、例えばＣＰＵ(＝Central Processing Unit)であって、記憶手段５０５に記憶されているアプリケーションプログラム、オペレーティングシステム（ＯＳ）や制御プログラム等を実行し、記憶手段５０５にプログラムの実行に必要な情報、ファイル等を一時的に記憶する制御を行う。
【００５６】
また制御手段５１０は、遊技機１００から受信した稼働信号や台間機２００から受信した売上信号及び再プレイ信号に基づき、遊技情報を１遊技毎に区分けして、記憶手段５０５の遊技情報記憶領域５５１に記憶させる制御を行う。以下、具体的に説明する。
【００５７】
＜遊技者が会員の場合＞
会員の遊技者が会員用記録媒体６００を台間機２００に挿入すると、制御手段５１０は、台間機２００から挿入信号と、遊技者識別情報とを受信する。また制御手段５１０は、これらの信号を受信すると、識別情報対応テーブルを参照する。そして会員用記録媒体６００が挿入された台間機２００及び当該台間機２００に対応する遊技機１００を特定する。そして制御手段５１０は、当該遊技者識別情報に係る遊技者が遊技を開始したものと判断し、計時手段５０２を用いて時間の計測を開始する。時間の計測を開始してから所定時間以内に、前記特定した台間機２００から売上信号等、あるいは前記特定した遊技機１００から稼働信号を受信すると、受信した売上信号、稼働信号等に基づき各遊技情報を算出する。そして算出した遊技情報を、前記受信した遊技者識別情報に関連付けて記憶させる制御を行う。同時に、計時手段をリセットさせ、再び時間の計測を開始させる制御を行う。
【００５８】
一方、制御手段５１０が時間の計測を開始してから所定時間を経過しても、遊技機１００及び台間機２００から稼働信号、売上信号等のいずれの信号も受信しなかった場合、当該遊技者識別情報に係る遊技者が遊技を終了したものと判断し、遊技機１００及び台間機２００から受信した稼働信号等に基づいて算出した遊技情報を、前記受信した遊技者識別情報に関連付けて記憶させる制御を終了する。
【００５９】
なお、本実施例ではこのように、所定時間を経過しても、遊技機１００及び台間機２００から稼働信号、売上信号等のいずれの信号も受信しなかった場合、前記特定した遊技者による遊技が終了したものと制御手段５１０が判断する構成を示したが、この構成に限定されるものではない。例えば、排出信号の受信によって、前記特定した遊技者による遊技が終了したものと制御手段５１０が判断する構成としても良い。
【００６０】
即ち、入力手段２３５が遊技者等のユーザから会員用記録媒体６００の排出操作を受け付けると、台間機制御手段２４５は挿入されている会員用記録媒体６００を台間機２００から排出させる制御を行う。また台間機制御手段２４５は、少なくとも会員用記録媒体６００が台間機２００から排出された旨を示す排出信号を外部に送出する制御を行う。制御手段５１０はこの排出信号を受信すると、前記会員用記録媒体６００を挿入した者による遊技が終了したものと判断する。
【００６１】
＜遊技者がビジターの場合＞
ビジターの遊技者の場合は、会員用記録媒体６００を有していないため、遊技開始時に台間機２００から遊技者識別情報は送出されない。またビジター用記録媒体も用いない場合は、遊技を開始するためには台間機２００に現金を挿入して玉貸しを受ける必要がある。従ってかかる場合は、玉貸しに伴い当該台間機２００から売上信号が送出される。そこで制御手段５１０は、遊技者識別情報を受信していない状態で売上信号を受信した場合には、ビジターの遊技者によって遊技が開始されたものと判断し、仮遊技者識別情報を付与する。そして当該仮遊技者識別情報に関連付けて、当該売上信号に基づいて算出した遊技情報を記憶させる制御を行う。同時に、制御手段５１０は計時手段５０２を用いて、経過時間の計測を開始する。その後、時間の計測を開始してから所定時間内に、遊技機１００又は台間機２００から稼働信号等を受信すると、制御手段５１０は受信した稼働信号等に基づき各遊技情報を算出し、算出した遊技情報を前記付与した仮遊技者識別情報に関連付けて記憶させる。同時に、制御手段５１０は計時手段５０２をリセットさせ、再び経過時間の計測を開始する。このような処理を繰り返して、制御手段５１０は遊技機１００及び台間機２００から受信した稼働信号等に基づいて算出した遊技情報を、前記付与した仮遊技者識別情報に関連付けて記憶させていく。なお、制御手段５１０が時間の計測を開始してから所定時間を経過しても、遊技機１００及び台間機２００から稼働信号、売上信号等のいずれの信号も受信しなかった場合については、上述した遊技者が会員の場合と同様であるため説明を省略する。また、仮遊技者識別情報を付与するタイミングを売上信号の受信時としているが、現金の台間機２００への挿入時に現金投入があったことを示す現金投入信号が台間機２００から出力される場合は、現金投入信号の受信時に仮遊技者識別情報を付与することとしても良い。
【００６２】
また、ビジターの遊技者がビジター用記録媒体を挿入して遊技を開始した場合は、上述の遊技者が会員の場合と基本的に同様であるため、説明を省略する。
【００６３】
また、制御手段５１０は、遊技機１００から受信した大当たり信号等に基づいて、遊技機１００の遊技状態を判断した上で、遊技状態毎に出玉数、打玉数、スタート回数等を記憶させる制御を行う。以下、詳しく説明する。図８は、遊技機１００から送出された稼働信号のうち遊技状態に関する大当たり信号、確率変動状態信号の関係を示すタイミングチャートである。なお上述したように、大当たり信号、確変信号は、遊技機１００が大当たり状態、確率変動状態の間継続して送出され（＝大当たり信号又は確変信号が立ち上がる）、遊技機１００の大当たり状態、確率変動状態が終了すると、送出を停止する（＝大当たり信号又は確変信号が立ち下がる）構成となっている。
【００６４】
図８に示すように、大当たり信号、確変信号のいずれの信号も出力されていない場合は、制御手段５１０は通常の遊技状態であると判断する（図８の（Ａ））。従ってかかる場合に、出玉信号、打玉信号、スタート信号等を受信すると、制御手段５１０は当該信号に基づいて算出した出玉数、打玉数、スタート回数等を、遊技機１００が通常状態の出玉数、打玉数、スタート回数等として記憶させる。また、その後大当たりに当選した場合、遊技機１００から送出される大当たり信号を管理装置５００が受信し、制御手段５１０では遊技機１００が大当たり状態であると判断する（図８の（Ｂ））。なお、制御手段５１０は、大当り信号を受信した場合、その直前の遊技状態も参照して、遊技機１００の遊技状態を判断する。したがって図８の（Ｂ）の場合は、通常状態の直後に大当り信号を受信しているため、通常の大当たりと判断する。従ってかかる場合に、出玉信号等を受信すると、制御手段５１０は当該信号に基づいて算出した出玉数等を、遊技機１００が大当たり状態の出玉数等として記憶させる。また、管理装置５００が確変信号を受信した場合、管理装置５００は遊技機１００が確率変動状態であると判断する（図８の（Ｃ））。従ってかかる場合に、出玉信号等を受信すると、制御手段５１０は当該信号に基づいて算出した出玉数等を、遊技機１００が確率変動状態の出玉数等として記憶させる。さらに、この確率変動状態で大当たりに当選した場合、管理装置５００は大当たり信号を受信する直前の遊技状態も参照し、確率変動状態中の大当たり(以下、確変大当たりという。)と判断する（図８の（Ｄ））。従ってかかる場合に、出玉信号等を受信すると、制御手段５１０は当該信号に基づいて算出した出玉数等を、遊技機１００が確変大当たり状態の出玉数等として記憶させる。すなわち、延べ1遊技者（同じ遊技者識別情報に係る遊技情報であっても台番号や遊技開始時刻が異なれば別レコードとして扱う）毎に、各遊技状態別に出玉数等をそれぞれ累積的に記憶させる。
【００６５】
また、制御手段５１０は遊技機１００及び台間機２００から受信した稼働信号や売上信号等に基づいて算出した遊技情報(例えば出玉数や打玉数)を用いて演算を行い、例えば図６を用いて上述した差玉、スタート率、ベース等を算出し、遊技情報記憶領域５５１に記憶させる。詳しくは、通常状態の打玉数と通常状態のスタート回数とを呼び出して、打玉１００個当たりのスタート回数であるスタート率を算出し、遊技情報記憶領域５５１に記憶させる。また、通常状態の打玉数と通常状態の出玉数とを呼び出して、打玉１００個当たりの出玉数であるベースを算出し、遊技情報記憶領域５５１に記憶させる。
【００６６】
また、制御手段５１０は、図６に示すように１遊技毎に遊技開始時刻、遊技終了時刻、遊技時間を遊技情報記憶領域５５１に記憶させる。以下、詳しく説明する。まず遊技開始時刻については、上述したように会員用記録媒体６００（或いはビジター用記録媒体）の台間機２００への挿入に伴って送出される挿入信号の受信時、あるいは貸玉の払い出しに伴って送出される売上信号の受信時に、制御手段５１０はリアルタイムクロック等の計時手段５０２を参照して、当該時刻を遊技開始時刻として遊技情報記憶領域５５１に記憶させる。遊技終了時刻については、タイマ等の計時手段５０２を用いて時間の計測を開始してから所定時間を経過しても、遊技機１００及び台間機２００から稼働信号、売上信号等のいずれの信号も受信しなかった場合に、制御手段５１０はリアルタイムクロック等の計時手段５０２を参照して、当該時刻を遊技終了時刻として遊技情報記憶領域５５１に記憶させる。更に遊技時間については、遊技終了時刻と遊技開始時刻との差分を減算して算出し、遊技情報記憶領域５５１に記憶させる。なお、これに限られず、会員用記録媒体６００やビジター用記録媒体が排出された時間を以て、遊技終了時刻としても良い。
【００６７】
また、制御手段５１０は１遊技毎に（＝遊技終了カウント（ＣＮＴ）毎に）分類されて遊技情報記憶領域５５１に記憶されている遊技情報を抽出して、表示手段５０７に表示させる制御を行う。
【００６８】
また、制御手段５１０は、遊技場の従業員等のユーザによって入力手段５０６を用いて入力された命令に従い、遊技情報記憶領域５５１に記憶されている遊技情報を呼び出して、当該遊技情報をその中の特定の遊技情報に基づいて分類し、分類結果を表示手段５０７に表示させる制御を行う。
【００６９】
具体的には例えば、制御手段５１０は、遊技情報記憶領域５５１に記憶されている遊技情報を呼び出して、スタート率毎に分類し、分類結果を表示手段５０７に表示させる制御を行う。また例えば、制御手段５１０は遊技情報記憶領域５５１に記憶されている遊技情報を呼び出して、図９に示すように遊技機１００毎にスタート率別に分類し、分類結果を表示手段５０７に表示させる制御を行う。図９においては、各遊技機１００毎（台番号毎）に、スタート率が５．４以下、５．４より大きく５．６以下、５．６より大きく５．８以下というように、予め設定された０．２単位で分類し、各範囲に含まれるレコードをリストアップしたものである。更に例えば、遊技機１００毎にスタート率別に分類された遊技情報を図１０に示すように遊技機１００の機種毎に分類し、分類結果を表示手段５０７に表示させる制御を行う。図１０においては、スタート率は予め設定された０．２単位で分類するとともに、遊技機１００の機種毎に分類し、各範囲に含まれるレコードをリストアップしたものである。
【００７０】
また例えば、制御手段５１０は、遊技情報記憶領域５５１に記憶されている遊技情報を呼び出して、ベース毎に分類し、分類結果を表示手段５０７に表示させる制御を行う。また例えば、図１１に示すように制御手段５１０は遊技情報記憶領域５５１に記憶されている遊技情報を呼び出して、遊技機１００毎にベース別に分類し、分類結果を表示手段５０７に表示させる制御を行う。図１１においては、各遊技機１００毎（台番号毎）に、ベースが２７以下、２７より大きく２９以下、２９より大きく３４以下というように、予め設定された範囲で分類し、各範囲に含まれるレコードをリストアップしたものである。更に例えば、図１２に示すように遊技機１００毎にベース別に分類された遊技情報を遊技機１００の機種毎に分類し、分類結果を表示手段５０７に表示させる制御を行う。図１２においては、ベースは予め設定された範囲で分類するとともに、遊技機１００の機種毎に分類し、各範囲に含まれるレコードをリストアップしたものである。
【００７１】
なお、遊技情報の分類方法はこれらに限定されない。遊技情報記憶領域５５１に記憶させる遊技情報の種類や記憶させた遊技情報を用いた演算の仕方等によって、多種多様に分類可能である。従って例えば、これらの分類結果を、例えば打玉数に対するベースについて、図１３に示すように分布図を用いて表示するよう構成しても良い。即ち、図１３では、「機種Ａ」の遊技機１００を用いて遊技を行った各遊技者について、打玉数に対するベースの値を示した分布図が示されている。また、図１３の縦軸１３０１は打玉数の平均値を示しており、横軸１３０２はベースの平均値を示している。なお本実施例では、図１３に示すように打玉数に対するベースの値を示したが、この構成に限定されるものではなく、遊技時間に対するベースの値を示しても良い。また、本実施例では、図１３に示すように「機種Ａ」という１つの機種を選択して表示させる構成を示したが、この構成に限定されるものではなく、複数の機種(例えば、機種Ａ、Ｂ、Ｃ)を選択して同時に表示させる構成としても良い。そのような構成とすれば、機種Ａ、Ｂ、Ｃ間でベースを比較することができ、便宜である。さらに、機種毎に限られず各遊技機１００について表示させることとしても良く、複数の遊技機１００を選択して同時に表示させる構成としても良い。このようにすれば、遊技機１００のそれぞれについて、１遊技毎のベースを分析できるようになるとともに、複数の遊技機１００を選択して表示させた場合は、遊技機１００間のベースの比較を行うことができ、便宜である。また、分類するスタート率及びベースの値の範囲は固定された範囲を用いても、任意に変更可能としても、最適な範囲をその都度制御手段５１０が自動的に判断する構成としても良い。
【００７２】
また例えば、遊技情報の分類結果を集計して、例えばベースの値に対する客数について、図１４に示すようにグラフを用いて表示させても良い。即ち、図１４では、「機種Ａ」の遊技機１００を用いて遊技を行った遊技者について、ベースの値に対する客数の割合を示した折れ線グラフ及び円グラフが示されている。なお、図１４においてはグラフ表示させる機種の選択を可能としているが、台番号の選択を可能としても良い。以上のようにグラフとして表示することで、ベースと打玉数やベースと遊技時間の関係、或いはベースと客数の関係等が一目瞭然となり、当該遊技機１００や機種に対する分析が容易となる。
【００７３】
また例えば、遊技情報の分類結果を、例えば打玉数に対するスタート率について、分布図を用いて表示させても良い。また例えば、遊技情報の分類結果を集計して、例えばスタート率に対する客数について、折れ線グラフ及び円グラフを用いて表示させても良い。
【００７４】
以上のように分析に資する有意義な情報をユーザに対して提供することが可能となるので、管理装置５００のユーザは遊技機１００や機種の人気や客層を容易に分析することが可能となる。
【００７５】
なお、以上の各手段と同等の機能を実現するソフトウェアにより、ハードウェア装置の代替として構成することもできる。
【００７６】
本実施例では、メディア５０４から本実施例に係るプログラム及び関連データを直接記憶手段５０５のＲＡＭ等にロードして実行させる例を示しているが、これ以外にも、本実施例に係るプログラムを動作させる度に、既にプログラムがインストールされている記憶手段５０５のＨＤＤ等から記憶手段５０５のＲＡＭ等にロードするようにしてもよい。また、本実施例に係るプログラムを記憶手段５０５のＲＯＭ等に記憶しておき、これをメモリマップの一部をなすように構成し、直接制御手段５１０で実行することも可能である。
【００７７】
また、本実施例では、説明の便宜のため、管理装置５００を１つの装置で実現した構成について述べるが、複数の装置にリソースを分散した構成によって実現してもよい。例えば、記憶や演算のリソースを複数の装置に分散した形に構成してもよい。或いは、管理装置５００上で仮想的に実現される構成要素毎にリソースを分散し、並列処理を行うようにしてもよい。
【００７８】
＜会員用記録媒体の構成＞
会員用記録媒体６００は、遊技場を利用する遊技者の内、会員登録された遊技者が利用する遊技者用記録媒体である。会員用記録媒体６００は、具体的には例えば磁性体の帯が設けられ、当該帯の磁性を変化させることで情報を格納する磁気ストライプカードや、ＩＣ(＝集積回路)が設けられたＩＣカードである。また、会員用記録媒体６００は記憶手段(図示省略)を有しており、当該記憶手段には遊技者識別情報が記憶されている遊技者識別情報記憶領域と、当該記録媒体を利用する遊技者の残金情報を記憶する記録媒体残金情報記憶領域とが設けられている。
【００７９】
遊技者識別情報とは、遊技者を識別する文字、数字、又はこれらの組み合わせである。また、この遊技者識別情報として、会員用記録媒体６００に記録されている固有の識別情報を用いる構成としても良い。
【００８０】
なお、会員用記録媒体６００は磁気ストライプカードやＩＣカードに限られるものではなく、例えば携帯電話を用いても良い。この場合、遊技者識別情報として、電話番号や、携帯電話に格納されているＩＣチップに記録されている固有の識別情報を用いることができる。
【００８１】
＜ネットワークの構成＞
ネットワーク７０１は、典型的には、ＬＡＮ（Local Area Network）であるが、有線／無線を問わずデータ送受信可能な回線であればどのような構成でもよい。例えば、公衆回線（アナログ回線、ＩＳＤＮ（Integrated Services Digital Network）等）やＷＡＮ（WideArea Network）、無線ＬＡＮ等により構成してもよい。なお、ネットワーク７０１上の通信プロトコルは、例えば、ＴＣＰ／ＩＰ（Transmission Control Protocol/Internet Protocol）等を採用することができる。
【００８２】
＜遊技場管理システムの処理の流れ＞
次に、本実施例における遊技場管理システムが実行する処理の流れを、図１５〜１６を参照にして説明する。なお、以下の処理は遊技場に設置された各遊技機１００及び当該遊技機１００に対応して設置されている台間機２００の組み合わせについて独立に実行する。
【００８３】
まず管理装置５００が、遊技を開始した遊技者の遊技情報を収集する遊技情報収集処理について説明する。
【００８４】
＜遊技者が会員の場合＞
遊技者が遊技場の会員である場合、図１５に示すように遊技開始時に台間機２００に自己の会員用記録媒体６００を挿入する(ステップＳ１５０１)。すると、台間機制御手段２４５は、読み取り/書き込み手段２１０を通じて、会員用記録媒体６００の挿入を認識し、会員用記録媒体６００に記憶されている遊技者識別情報を読み取ると、通信手段２３０を通じて、読み取った遊技者識別情報と、会員用記録媒体６００が台間機２００に挿入された旨を示す挿入信号とを外部に送出する(ステップＳ１５０２)。
【００８５】
管理装置５００は、これらの信号を受信すると、識別情報対応テーブルを参照する。そして、管理装置５００は会員用記録媒体６００が挿入された台間機２００を特定し、当該台間機２００に対応する遊技機１００を特定する(ステップＳ１５０３)。そして、管理装置５００は時間の計測を開始する（ステップＳ１５０４）。時間の計測を開始してから所定時間以内に、前記特定した台間機２００から売上信号や前記特定した遊技機１００から稼働信号等を受信すると(ステップＳ１５０５でＹＥＳ)、受信した売上信号や稼働信号等に基づき各遊技情報を算出し、算出した遊技情報を、受信した遊技者識別情報に関連付けて記憶する(ステップＳ１５０６)。同時に、管理装置５００は計時手段をリセットさせ(ステップＳ１５０７) 、再び時間の計測を開始させる（ステップＳ１５０４）。
【００８６】
一方、管理装置５００が時間の計測を開始してから所定時間を経過しても、遊技機１００及び台間機２００から稼働信号、売上信号等のいずれの信号も受信しなかった場合には(ステップＳ１５０５でＮＯ)、当該遊技者識別情報に係る遊技者が遊技を終了したものと判断し、遊技機１００及び台間機２００から受信した稼働信号等に基づいて算出した遊技情報を、前記特定した遊技者に係る遊技者識別情報に関連付けて記憶する処理を終了する（ステップＳ１５０８）。
【００８７】
なお、ビジター用記録媒体を用いて遊技者が遊技を行う場合も上記処理と同様である。
【００８８】
＜遊技者がビジターの場合＞
次に、遊技者が遊技場で会員登録されていないビジターであり、ビジター用記録媒体を用いないで遊技を行う場合について、図１６を用いて説明する。当該遊技者が、遊技開始時に台間機２００に紙幣を挿入し、入力手段２３５を用いて遊技媒体貸出操作を行うと(ステップＳ１６０１)、台間機２００は貸玉の払い出しを行うと共に、通信手段２３０を介して売上信号を外部に送出する(ステップＳ１６０２)。
【００８９】
管理装置５００は、売上信号を受信すると、識別情報対応テーブルを参照する。また、管理装置５００は遊技が開始されたと判断した台間機２００を特定し、当該台間機２００に対応する遊技機１００を特定する(ステップＳ１６０３)。また、仮遊技者識別情報を付与し、この仮遊技者識別情報と関連付けて、当該受信した売上信号に係る遊技情報を算出して記憶する(ステップＳ１６０４)。そして、管理装置５００は時間の計測を開始する（ステップＳ１６０５）。時間の計測を開始してから所定時間以内に前記特定した台間機２００から売上信号等や前記特定した遊技機１００から稼働信号等を受信すると(ステップＳ１６０６でＹＥＳ)、受信した売上信号や稼働信号等に基づき各遊技情報を算出し、算出した遊技情報を、前記付与した仮遊技者識別情報に関連付けて記憶する(ステップＳ１６０７)。同時に、管理装置５００は計時手段をリセットさせ (ステップＳ１６０８)、再び時間の計測を開始させる（ステップＳ１６０５）。
【００９０】
一方、管理装置５００が時間の計測を開始してから一定時間を経過しても、遊技機１００及び台間機２００から稼働信号、売上信号等のいずれの信号も受信しなかった場合には(ステップＳ１６０６でＮＯ)、遊技機１００及び台間機２００から受信した稼働信号等に基づいて算出した遊技情報を、前記付与した仮遊技者識別情報に関連付けて記憶する処理を終了する（ステップＳ１６０９）。なお、この処理では遊技者による貸出操作に基づく売上信号を管理装置５００が受信したことを契機として遊技機１００等の特定を行っているが、台間機２００が現金が投入されたことを示す入金信号を送出するものである場合は、この入金信号を管理装置５００が受信したことを契機として遊技機１００等の特定を行わせるよう構成しても良い。
【００９１】
次に、管理装置５００が、１遊技毎に区分けされて記憶されている遊技情報を呼び出して分類を行う遊技情報分類処理について説明する。
【００９２】
遊技場の従業員等のユーザが、キーボード、ポインティングデバイス等の入力手段５０６を用いて遊技情報記憶領域５５１に記憶されている遊技情報を呼び出してディスプレイ等の表示手段５０７に表示させる。その状態で、遊技場の従業員等のユーザが、呼び出した遊技情報をその中の特定の遊技情報に基づいて分類する旨の命令を入力すると、制御手段５１０はこの命令に従って遊技情報を分類し、分類結果を表示する。
【００９３】
例えば機種毎にスタート率別に分類した一覧表の表示をユーザが指示すると、管理装置５００はこの命令に従って遊技情報を分類し、図１０に示すような結果を表示手段５０７に表示する。また、特定の機種について分類したベース毎にどの程度の遊技者（客数）が遊技したのかのグラフを表示させるようユーザが指示すると、管理装置５００はこの命令に従って、図１４に示すような折れ線グラフや円グラフを表示手段５０７に表示する。
【００９４】
このように、遊技場管理システムを構成することによって、遊技場の従業員等のユーザは、１遊技毎のスタート率及びベースの値を知ることができる。また、管理装置５００に記憶されている遊技情報を、その中の特定の遊技情報に基づいて分類し、分類結果を表示させれば、１遊技毎のスタート率及びベースについてより詳しく分析することができる。例えば、スタート率が低いにもかかわらず、客数が多い場合には客の入れ替えは激しいが、当該機種の遊技機では複数の遊技者によって遊技が継続されて行われていることを示している。そのような遊技機は遊技場に対して貢献度が高く、当該遊技機の機種を把握しておくことは、遊技場の経営にとって有益であると考えられる。
【００９５】
なお、例えばベースが高い機種が多いと、打玉１００個当たりでよく出玉がある（払い出し個数が多い）機種が多いことを示すので、遊技者に人気が高いであろうとも考えられる一方で、出玉が多いことは遊技場の収益を圧迫する要因ともなり得る。従って、ベースが高かったり、そのような状況が所定期間続いた遊技機或いは機種については、遊技機或いは機種の入れ替えを示唆する表示を行わせることとしても良い。具体的には、予め遊技機や機種の入れ替え指標となる各閾値（ベース値、期間、客数等）を管理装置５００に入力して記憶させ、ユーザの指示により所定情報を表示させた際に、遊技機や機種の入れ替えを示唆する文字、図形、記号を表示させる。なお上記は一例であって、各閾値をどのように設定するかは遊技場の経営方針によるものである。また、本実施例では遊技状態が通常状態の場合のスタート率及びベースを算出しているが、確変状態中や大当状態中のスタート率やベースを算出して表示することとしても良い。
【００９６】
また、本実施例においては、外部に出力する手段として表示手段５０７を用いることとしているが、この構成に限定されるものではなく、遊技情報を外部に出力可能な構成であれば良い。従って表示手段５０７に代えて、或いは表示手段５０７を用いるとともに、プリンター等を用いて印字することにより外部に出力する構成としても良い。また、本実施例において、遊技情報を出力する際は遊技者が会員である場合とビジターである場合とのそれぞれについて集計して出力することとしても良い。また、上記実施例1及び２では遊技者識別情報、仮遊技者識別情報を用いたが、１遊技を区分可能であれば如何なる識別情報を用いても良い。また、本実施例では1遊技毎のスタート率、ベースを算出しているが、予め遊技状態毎に遊技情報を時系列的に記憶しておき、当該時系列的に記憶された遊技情報のうち、遊技状態が通常状態であるものに係るスタート率、ベースを算出することとしても良い。また、本実施例ではスタート率、ベースは遊技機１００の遊技状態が通常状態である場合を算出しているが、大当たり中、或いは確変中のスタート率、ベースを別途算出することとしても良い。
【００９７】
また、本実施例では稼働情報の収集、集計、演算を管理装置５００が行なうこととしているが、他の異なる実施例においては、稼働情報の収集、集計、演算は台管理装置３００や島管理装置４００、或いは遊技機１００に対応して配置する呼出ランプ等の表示装置が行なう構成としても良い。この場合、台管理装置３００等に記憶手段や制御手段（演算手段）を設ける。そして管理装置５００の表示手段５０７へ所望の稼働情報を表示させるようユーザから指示が入力されると、管理装置５００は、台管理装置３００等に演算を行なわせて演算結果を台管理装置３００等から受信して表示手段５０７に表示させても良いし、ユーザの指示に応じた稼働情報を表示する為に必要な情報を台管理装置３００等からその都度受信し、必要な演算を制御手段５１０が行なって表示手段５０７に表示させることとしても良い。
【００９８】
また、本実施例では遊技機の一例としてパチンコ機を例に説明したが、遊技機がスロットマシンやパチロット機である場合でも本発明を適用可能である。
【００９９】
以上、本発明の実施例について詳述したが、本発明は、例えば、システム、装置、方法、プログラムもしくは記憶媒体等としての実施態様を取ることが可能である。
【０１００】
また本発明は、前述した実施例の機能を実現するプログラムを、システムあるいは装置に直接あるいは遠隔から供給し、そのシステムあるいは装置のコンピュータが供給されたプログラムコードを読み出して実行することによっても達成される場合を含む。
【０１０１】
従って、本発明の機能処理をコンピュータで実現するために、このコンピュータにインストールされるプログラム自体も本発明の技術的範囲に含まれる。つまり、本発明は、本発明の機能処理を実現するためのコンピュータプログラム自体も含む。この場合、プログラムの提供方法としては、ＣＤ−ＲＯＭ、ＤＶＤ等の記憶媒体を用いて提供する方法や、電気通信回線を介して提供する方法等が含まれる。
【図面の簡単な説明】
【０１０２】
【図１】本発明の一実施例の全体的な構成を例示的に示す概念図である。
【図２】本発明の一実施例の全体的な構成を例示的に示す概念図である。
【図３】本発明の一実施例の遊技機の全体的な構成を例示的に示す概念図である。
【図４】本発明の一実施例の台間機のハードウェア構成を例示的に示す概念図である。
【図５】本発明の一実施例の管理装置のハードウェア構成を例示的に示す概念図である。
【図６】本発明の一実施例の遊技情報記憶領域の構造を模式的に示した図である。
【図７】本発明の一実施例の識別情報対応テーブルの構造を模式的に示した図である。
【図８】本発明の一実施例の遊技機が送出する稼働信号のうち遊技状態に関する大当たり信号、確率変動状態信号の関係を示す説明図である。
【図９】本発明の一実施例の遊技情報記憶領域に記憶されている遊技情報の分類結果を例示的に示した図である。
【図１０】本発明の一実施例の遊技情報記憶領域に記憶されている遊技情報の分類結果を例示的に示した図である。
【図１１】本発明の一実施例の遊技情報記憶領域に記憶されている遊技情報の分類結果を例示的に示した図である。
【図１２】本発明の一実施例の遊技情報記憶領域に記憶されている遊技情報の分類結果を例示的に示した図である。
【図１３】本発明の一実施例の遊技情報記憶領域に記憶されている遊技情報の分類結果をグラフ化して例示的に示した図である。
【図１４】本発明の一実施例の遊技情報記憶領域に記憶されている遊技情報の分類結果をグラフ化して例示的に示した図である。
【図１５】本発明の一実施例の遊技場管理システムが実行する処理の手順を示す流れ図である。
【図１６】本発明の一実施例の遊技場管理システムが実行する処理の手順を示す流れ図である。
【符号の説明】
【０１０３】
Ａ：遊技領域、Ｂ：遊技媒体発射領域、
１００：遊技機、１１１：盤面、１１２：外レール、１１３：図柄表示装置、１１４：始動入賞口、１１５：大当たり入賞口、１１６：アウト口、１１７：谷釘、１１８：内レール、１２１：上皿、１２２：下皿、１２３：ハンドル、
２００：台間機、２１０：読み取り/書き込み手段、２１５：紙幣識別手段、２３０：通信手段、２３５：入力手段、２４０：表示手段、２４５：台間機制御手段、２５５：残金情報記憶手段、２６０：貯玉数記憶手段、２６５：バス、
３００：台管理装置、４００：島管理装置、
５００：管理装置、５０３：外部記録媒体接続手段、５０４：メディア、５０５：記憶手段、５０６：入力手段、５０７：表示手段、５０８：通信手段、５０９：バス、５１０：制御手段、５５１：遊技情報記憶領域、５５２：識別情報対応テーブル記憶領域、５５３：機器情報記憶領域、
６００：会員用記録媒体、
７０１：ネットワーク、
１３０１：縦軸、１３０２：横軸
【図１】
0005969196.tif 000002
【図２】
0005969196.tif 000003
【図３】
0005969196.tif 000004
【図４】
0005969196.tif 000005
【図５】
0005969196.tif 000006
【図６】
0005969196.tif 000007
【図７】
0005969196.tif 000008
【図８】
0005969196.tif 000009
【図９】
0005969196.tif 000010
【図１０】
0005969196.tif 000011
【図１１】
0005969196.tif 000012
【図１２】
0005969196.tif 000013
【図１３】
0005969196.tif 000014
【図１４】
0005969196.tif 000015
【図１５】
0005969196.tif 000016
【図１６】
0005969196.tif 000017